(57)【要約】【課題】画像の取得を開始してから通常再生を行う前に、取得後の動画の内容に合った画像を表示する。【解決手段】画像再生装置は、画像データを受信することによって得られる画像を順次格納する。また、格納部に格納された画像であって、それ自身のみの情報で符号化される画像（例えばＩピクチャ）を表示する。当該画像が表示された後、画像再生装置は、格納されている画像を再生すべき時刻である第１の時刻と、画像再生装置における基準となる時刻である第２の時刻との関係に基づいて、通常再生を開始するか否かを判定する。そして、通常再生を開始すると判定された場合、格納されている各画像を用いて１倍速の再生を行う。【選択図】図１
2007274441.tif 000002
【特許請求の範囲】
【請求項１】
複数の画像を含む画像データを受信して画像を動画として再生する画像再生装置であって、
前記画像データに含まれる画像には、それ自身のみで符号化された第１画像と、他の画像を用いて符号化された第２画像との２種類があり、
前記画像データを受信することによって得られる画像を順次格納する格納部と、
前記格納部に最初に格納された第１画像を表示装置に表示させることによって画像データの表示を開始させる表示制御部と、
前記第１画像が表示された後、前記格納部に格納されている画像を再生すべき時刻である第１の時刻と、前記画像再生装置における基準となる時刻である第２の時刻との関係に基づいて、１倍速の再生を開始するか否かを判定する判定部と、
前記判定部によって１倍速の再生を開始すると判定された場合、前記格納部に格納されている各画像を用いて１倍速の再生を行う通常再生部とを備える、画像再生装置。
【請求項２】
前記判定部によって１倍速の再生を開始しないと判定された場合、前記格納部に格納された各画像を用いてスロー再生を行うスロー再生部をさらに備える、請求項１に記載の画像再生装置。
【請求項３】
前記スロー再生部は、
表示すべき画像に関する第１の時刻と前記第２の時刻との差分に基づいて、スロー再生を行う再生速度を算出する速度算出部と、
前記速度算出部によって算出された再生速度でスロー再生を行う再生実行部とを含む、請求項１に記載の画像再生装置。
【請求項４】
前記速度算出部は、前記差分が大きいほど再生速度が遅くなるように当該再生速度を算出する、請求項３に記載の画像再生装置。
【請求項５】
前記判定部は、判定結果が肯定となるまでの間繰り返し判定を行い、
前記速度算出部は、前記判定部による判定結果が肯定となるまでの間、所定時間間隔で前記再生速度を繰り返し算出し、
前記再生実行部は、前記速度算出部によって算出された再生速度が変更されたことに応じてスロー再生を行う再生速度を変化させる、請求項３に記載の画像再生装置。
【請求項６】
前記画像データの表示開始が、画像データの選局チャンネルの変更操作に応じて行われることを特徴とする請求項１乃至請求項５記載の画像再生装置。
【請求項７】
前記画像データがＭＰＥＧ−２ビデオであり、前記第１画像がＭＰＥＧ−２ビデオのＩピクチャであることを特徴とする請求項１乃至請求項５記載の画像再生装置。
【請求項８】
前記画像データが通信による動画のストリーミング放送での画像データであり、前記第２の時刻が前記画像データの受信バッファリングが十分な状態に遷移したタイミングを起点とした時刻であることを特徴とする請求項１乃至請求項５記載の画像再生装置。
【請求項９】
複数の画像を含む画像データを受信して画像を動画として再生する画像再生装置において用いられる方法であって、
前記画像データに含まれる画像には、それ自身のみで符号化された第１画像と、他の画像を用いて符号化された第２画像との２種類があり、
前記画像データを受信することによって得られる画像を前記画像再生装置のデータ格納手段に順次格納する格納ステップと、
前記データ格納手段に最初に格納された第１画像を表示装置に表示させる表示制御ステップと、
前記第１画像が表示された後、前記データ格納手段に格納されている画像を再生すべき時刻である第１の時刻と、前記画像再生装置における基準となる時刻である第２の時刻との関係に基づいて、１倍速の再生を開始するか否かを判定する判定ステップと、
前記判定部によって１倍速の再生を開始すると判定された場合、前記データ格納手段に格納されている各画像を用いて１倍速の再生を行う通常再生ステップとを備える、画像再生方法。
【発明の詳細な説明】
【技術分野】
【０００１】
本発明は、画像再生装置および画像再生方法に関し、より特定的には、外部から画像データを受信して画像の再生を行う画像再生装置および画像再生方法に関する。
【背景技術】
【０００２】
従来のデジタル放送受信装置においては、受信する放送チャンネルを他のチャンネルに変更する選局操作を行った際に、画面表示が一時的に途切れ、数秒後、変更後のチャンネルの画像が表示されていた。つまり、従来においては、選局変更の処理を行っている間、画面は数秒間ピクチャーミュートの状態にしていた。これは、選局後のチャンネルの映像が再生可能な状態になるまでは、放送受信装置の受信部では選局前のチャンネルの静止画が残った状態となっており、そのまま表示し続けると選局変更の操作をしたのに画面が切り替わらないためにユーザの混乱を招くからである。ユーザはどのチャンネルで視聴したい番組が放送されているかが分からない場合や、複数の番組の両方を視聴したい場合などには、チャンネルを素早く変更しながら探す操作を繰り返し行うことがある。しかし、ピクチャーミュートの時間が長いために、ある程度以上素早い選局操作が出来なかったり、選局操作を受け付けてもほとんどピクチャーミュートばかりの状態になり、視聴することが不可能になっていた。
【０００３】
上記の問題を解決する方法として、全ての放送チャンネルを定期的に巡回して画像を取り込む副チューナを１または複数個数追加する方法が提案されている（例えば、特許文献１参照）。特許文献１に記載の選局装置は、リモコン等によって主チューナの選局を変更したタイミングから主チューナの映像が表示されるまでの間、副チューナによって取り込んだ画像を代替表示するものである。
【特許文献１】特開２００２−３２０１５３号公報
【発明の開示】
【発明が解決しようとする課題】
【０００４】
しかしながら、上記特許文献１の選局装置において選局時に表示される画像は、副チューナが裏で各チャンネルを巡回することによって過去に予め取り込まれた画像である。そのため、現在放送中の内容と違う内容の画像が表示されるので、選局後のチャンネルの放送内容と異なる内容の画像が表示されるおそれがあるという課題があった。また、上記選局装置は２つのチューナを備えている必要があるので、装置の高コスト化や消費電力の増大を招くという課題があった。更には、選局装置の電源をオンした後に、始めて画像がでるまでの時間を、上記特許文献１の方法では解決できなかった。
【０００５】
それ故、本発明の目的は、画像の取得を開始してから通常再生を行う前に、取得後の動画の内容に合った画像を表示することができる画像再生装置および画像再生方法を、高コスト化や消費電力の増大を招くことなく提供することである。
【課題を解決するための手段】
【０００６】
上記課題を解決するために、本発明は次の構成を採用した。すなわち、第１の発明は、複数の画像を含む画像データを受信して画像を再生する画像再生装置である。ここで、画像データに含まれる画像には、それ自身のみで符号化された第１画像と、他の画像を用いて符号化された第２画像との２種類がある。画像再生装置は、画像データを受信することによって得られる画像を順次格納する格納部と、格納部に最初に格納された第１画像を表示装置に表示させることによって画像データの表示を開始させる表示制御部と、第１画像が表示された後、格納部に格納されている画像を再生すべき時刻である第１の時刻と、画像再生装置における基準となる時刻である第２の時刻との関係に基づいて、１倍速の再生を開始するか否かを判定する判定部と、判定部によって１倍速の再生を開始すると判定された場合、格納部に格納されている各画像を用いて１倍速の再生を行う通常再生部とを備えている。
【０００７】
第２の発明においては、画像再生装置は、判定部によって１倍速の再生を開始しないと判定された場合、格納部に格納された各画像を用いてスロー再生を行うスロー再生部をさらに備えていてもよい。
【０００８】
第３の発明においては、スロー再生部は、表示すべき画像に関する第１の時刻と第２の時刻との差分に基づいて、スロー再生を行う再生速度を算出する速度算出部と、速度算出部によって算出された再生速度でスロー再生を行う再生実行部とを含んでいてもよい。
【０００９】
第４の発明においては、速度算出部は、差分が大きいほど再生速度が遅くなるように当該再生速度を算出してもよい。
【００１０】
第５の発明においては、判定部は、判定結果が肯定となるまでの間繰り返し判定を行い、速度算出部は、判定部による判定結果が肯定となるまでの間、所定時間間隔で再生速度を繰り返し算出し、再生実行部は、速度算出部によって算出された再生速度が変更されたことに応じてスロー再生を行う再生速度を変化させるようにしてもよい。
【００１１】
また、上記発明は、上記画像再生装置において用いられる方法の形態で提供されてもよい。
【発明の効果】
【００１２】
第１の発明によれば、格納部に十分な数の画像が格納されて通常再生が可能となる前であってもまず第１画像が速やかに表示される。したがって、通常再生が可能となってから再生を開始する場合に比べて、画像が表示されるまでの時間を短縮することができる。また、画像データの取得を開始した後で取得された画像を表示するので、画像データの取得後の動画の内容の一部である画像が表示されて、画像データの取得後の動画と異なる内容の画像が表示されることがない。さらに、上述した従来の技術のように複数のチューナを設ける必要がないので、装置の構成を簡易化することができ、コストや消費電力を削減できる。更に、従来装置は選局変更の際にしか表示開始を高速化出来ないが、本画像再生装置においては電源をオンにした場合でも表示開始を高速化できる。
【００１３】
第２の発明によれば、通常再生が可能となるまでの間、スロー再生が行われる。これによって、第１画像のみの静止画を表示するだけでなく、動画を表示することができる。
【００１４】
第３および第４の発明によれば、スロー再生における再生速度を、第１の時刻と第２の時刻との差分に応じて決定することができる。これによって、再生速度を一定とする場合に比べて、通常再生が可能となるまでの時間を短縮することができる。
【００１５】
第５の発明によれば、スロー再生における再生速度を、スロー再生中においても変化させることができる。したがって、スロー再生中においても適当な速度となるように再生速度を変更することができる。
【発明を実施するための最良の形態】
【００１６】
以下、本発明の一実施形態に係る画像再生装置について説明する。本実施形態では、画像再生装置の一例として、デジタル放送のテレビジョン放送信号を受信し、放送コンテンツ（番組）を再生するテレビジョン放送受信装置（以下、単に放送受信装置と呼ぶ。）について説明する。図１は、放送受信装置１００の構成を示すブロック図である。放送受信装置１００は、チューナ１０１、バッファ１０２、再生部１０３、出力部１０４、速度調整部１０５、クロック生成部１０６、リモコン信号受信部１０７、および制御部１０８を備える。放送受信装置１００にはアンテナ１０９が接続される。
【００１７】
ここで、デジタル放送の画像（映像）信号および音声信号は、それぞれＭＰＥＧ２Ｖｉｄｅｏ、ＭＰＥＧ２  Ａｕｄｉｏ  ＡＡＣと呼ばれる符号化形式で圧縮されることによって、それぞれ画像ＥＳ（Ｅｌｅｍｅｎｔａｒｙ  Ｓｔｒｅａｍ）および音声ＥＳに変換される。さらに、これら画像ＥＳおよび音声ＥＳは、適当な大きさに分割してパケット化される。これを、ＰＥＳ（Ｐａｃｋｅｔｉｚｅｄ  Ｅｌｅｍｅｎｔａｒｙ  Ｓｔｒｅａｍ）パケットと呼ぶ。画像ＥＳは例えばピクチャ単位で分割され、音声ＥＳは例えばブロック単位で分割される。ＰＥＳパケットのヘッダには再生時刻の情報（ＰＴＳ：Ｐｒｅｓｅｎｔａｔｉｏｎ  Ｔｉｍｅ  Ｓｔａｍｐ）が含まれる。放送受信装置１００は、受信したＰＥＳパケットに含まれるＰＴＳを用いることによって映像と音声とを同期して再生することができる。
【００１８】
チューナ１０１は、制御部１０８からの選局命令に従って所望のチャンネルの放送信号をアンテナ１０９を介して受信する。さらに、受信した放送信号に高周波処理および復調処理を行うことによってトランスポートストリームを分離（ＤＥＭＵＸ）し、ＭＰＥＧデータであるデジタル画像データおよびデジタル音声データを得る。デジタル画像データおよびデジタル音声データは、バッファ１０２に出力される。
【００１９】
バッファ１０２は、チューナ１０１から送られてくるＭＰＥＧデータを格納する。ＭＰＥＧデータである画像データおよび音声データは、チューナ１０１によって上記パケット単位で取得され、パケット単位でバッファ１０２に格納される。バッファ１０２に格納される画像データである各ピクチャには、イントラピクチャ（Ｉピクチャ）、予測符号化ピクチャ（Ｐピクチャ）、および双方向予測符号化ピクチャ（Ｂピクチャ）の３種類がある。Ｉピクチャは、他のピクチャの情報を使用せずそれ自身のみの情報で符号化されるピクチャである。Ｐピクチャは、過去のＩピクチャまたはＰピクチャを参照ピクチャとして、時間軸上で前向き動き予測符号化されるピクチャである。Ｂピクチャは、過去と将来のＩピクチャまたはＰピクチャを参照ピクチャとして、時間軸上で前向きおよび後ろ向き動き予測符号化されるピクチャである。以上のように、放送信号に含まれる画像データ含まれる画像には、それ自身のみで復号可能な画像（Ｉピクチャ）と、他のピクチャを用いて復号可能な画像（ＰピクチャおよびＢピクチャ）とがある。バッファ１０２に格納されたＭＰＥＧデータは、適宜のタイミングで再生部１０３に出力される。
【００２０】
再生部１０３は、バッファ１０２に格納されたＭＰＥＧデータをアナログ信号に変換して出力部１０４に出力する。すなわち、デジタル映像データをアナログの映像信号に変換するとともに、デジタル音声データをアナログの音声信号に変換する。出力部１０４は、再生部１０３によって変換されたアナログ信号を表示装置やスピーカを用いて出力する。すなわち、ＰＤＰパネルや液晶パネル等の表示装置を用いて映像信号を表示し、スピーカを用いて音声を出力する。
【００２１】
速度調整部１０５は、再生部１０３の再生速度を調整する。具体的には、速度調整部１０５は、バッファ１０２に格納されたＭＰＥＧデータを監視し、バッファ１０２内のＭＰＥＧデータを適宜のタイミングで再生部１０３に再生させる。より具体的には、速度調整部１０５は、再生すべき速度に応じたクロックを生成する指示をクロック生成部１０６に出力する。クロック生成部１０６は、再生部１０３による再生の速度を指示するためのクロックを生成して再生部１０３に出力する。再生部１０３は、このクロックのタイミングに合わせてＭＰＥＧデータの再生を行う。
【００２２】
リモコン信号受信部１０７は、図示しないリモコンから、ユーザによる所望のチャンネルへの選局指示を示す信号を受信する。そして、当該信号を受信すると、制御部１０８に対して当該チャンネルの選局を要求する。制御部１０８は、リモコン信号受信部１０７からの選局要求に応じて、当該選局要求に係るチャンネルを選局する旨をチューナ１０１に対して指示する。また、制御部１０８は、番組視聴時において、受信したテレビジョン放送信号に含まれる付加情報等を表示させる指示等を再生部１０３に対して行うこともある。
【００２３】
以下、放送受信装置１００の動作を図２および図３を用いて説明する。まず、放送受信装置１００の動作の概要を、図２を用いて説明する。図２は、バッファ１０２に格納される画像（ピクチャ）の時間推移を示す図である。なお、図２では、デコードされて表示可能なピクチャが再生順にバッファ１０２に格納されるものとする。図２においては、１つのブロックが１つのピクチャを示し、ブロック内の数字は各ピクチャを再生すべき時刻を示す。この時刻を「ピクチャの再生時刻（ｔ’）」とする。ピクチャの再生時刻は、ピクチャ単位でパケット化されるＰＥＳパケットのヘッダに含まれるＰＴＳに基づいて決定される。なお、全てのＰＥＳパケットのヘッダにＰＴＳが含まれている必要はなく、例えばＩピクチャのＰＥＳパケットのヘッダにのみＰＴＳを含めるようにすれば、放送受信装置１００は、ＩピクチャのＰＴＳを元に他のピクチャの再生時刻を算出することができる。また、図２に示す横軸ｔは、放送受信装置１００側の基準となる時刻（ＳＴＣ（Ｓｙｓｔｅｍ  Ｔｉｍｅ  Ｃｌｏｃｋ））を示す。通常の再生（１倍速再生）では、ｔの値が１０増加する毎にｔの値と一致するｔ’に対応する（１つの）ピクチャが再生される。
【００２４】
図２は、放送受信装置１００によって選局が行われ、新たなチャンネルの放送信号の受信が開始されてからの時間推移を示している。また、この時点ではバッファ１０２には前のチャンネルのデータが残っているが、図２では当該データは記載していない。図２においては、時刻ｔ＝７０の時点で、選局後のチャンネルの最初のデータとして、ｔ’＝１００のピクチャがバッファ１０２に格納されている。以降、時刻の値が１０ずつ増加したピクチャが順次バッファ１０２に格納されていく。
【００２５】
選局が行われた後、放送受信装置１００は、まず、バッファ１０２にＩピクチャが格納されたか否かを監視する。そして、Ｉピクチャが格納されると、当該Ｉピクチャを表示する。図２においては、ｔ’＝１００のピクチャがＩピクチャであるとする。このとき、放送受信装置１００は、ｔ＝７０の時点でＩピクチャの表示を行う。なお、図２においては、表示済みのピクチャを斜線付きのブロックで示している。
【００２６】
最初のＩピクチャの表示が終了すると、本実施形態では、放送受信装置１００は通常再生が可能となるまでスロー再生を行う。図２においては、放送受信装置１００は１／２倍速で再生を行うものとする。すなわち、放送受信装置１００は、ＳＴＣの値が２０増加する毎に１つのピクチャを表示する。図２の例においては、ｔ＝７０の時点でｔ’＝１００のＩピクチャが表示されるので、放送受信装置１００は、ｔ＝９０の時点で次のピクチャ（すなわち、ｔ’＝１１０のピクチャ）を表示する。さらに、ｔ＝１１０の時点でその次のピクチャ（すなわち、ｔ’＝１２０のピクチャ）を表示する。
【００２７】
スロー再生は、通常再生が可能となるまで実行される。ここで、通常再生が可能となったか否かは、各ピクチャの再生時刻ｔ’と、装置側の基準時刻ｔとの関係に基づいて判断される。すなわち、放送受信装置１００は、まだ表示されていないピクチャのうちで、ＳＴＣの時刻ｔと一致するｔ’のピクチャがバッファ１０２に格納されているか否かに基づいて判断を行う。図２の例で言えば、ｔ＝１１０の時点では、ｔ’＝１１０のピクチャは表示済みであるので、まだ表示されていないピクチャのうちで、ＳＴＣの時刻ｔと一致するｔ’のピクチャはバッファ１０２に格納されていないと判断され、通常再生は不可能と判断される。そして、ｔ＝１３０の時点では、ｔ’＝１３０のピクチャがまだ表示されておらず、バッファ１０２に格納されているので、通常再生が可能と判断される。
【００２８】
通常再生が可能と判断されると、放送受信装置１００は、以降において通常再生を行う。図２の例で言えば、ｔ＝１３０の時点以降は、ＳＴＣの時刻ｔが１０増加する毎に１つのピクチャが順に表示される。
【００２９】
以上のように、本実施形態によれば、選局が行われた際、通常再生が可能となる前であってもまずＩピクチャが表示される。したがって、通常再生が可能となってから再生を開始する場合に比べて、選局が行われてから画像が表示されるまでの時間を短縮することができる。また、選局後に取得されたＩピクチャを表示するので、選局後の番組の内容と合った画像が表示され、選局後の番組と異なる内容の画像が表示されることがない。さらに、上述した従来の技術のように２つのチューナを設ける必要がないので、装置の構成を簡易化することができる。
【００３０】
さらに、本実施形態によれば、通常再生が可能となるまでの間、スロー再生が行われる。これによって、Ｉピクチャのみの静止画を表示するだけでなく、動画を表示することができる。
【００３１】
次に、放送受信装置１００の制御部１０８および速度調整部１０５において行われる動作の詳細を図３を用いて説明する。図３は、制御部１０８および速度調整部１０５における処理の流れを示すフローチャートである。図３に示す処理は、リモコン信号受信部１０７が選局指示を受信し、制御部１０８に対して選局要求を行ったことに応じて開始される。
【００３２】
リモコン信号受信部１０７からの選局要求を受け取ると、まずステップＳ１において、制御部１０８は、当該選局要求に係るチャンネルを選局する旨をチューナ１０１に対して指示する。これによって、所望のチャンネルの放送信号が受信され、画像データおよび音声データがバッファ１０２に格納されることとなる。
【００３３】
続くステップＳ２において、速度調整部１０５は、バッファ１０２内に格納されたデータをチェックする。続くステップＳ３において、速度調整部１０５は、Ｉピクチャが取得されたか否か、すなわち、バッファ１０２にＩピクチャが格納されたか否かを判定する。判定の結果、Ｉピクチャが取得された場合、ステップＳ４の処理が実行される。一方、Ｉピクチャが取得されていない場合、ステップＳ２の処理が再度実行される。なお、ステップＳ２およびＳ３の処理は、１フレーム時間毎、すなわち、ＳＴＣの時刻ｔが１０増加する毎に実行される。
【００３４】
ステップＳ４においては、取得されたＩピクチャが表示される。すなわち、速度調整部１０５は、当該Ｉピクチャを読み出す指示を再生部１０３に対して行う。この指示に応じて、再生部１０３は、当該Ｉピクチャをデコードして出力部１０４に送り、出力部１０４は当該Ｉピクチャを表示装置に表示させる。また、速度調整部１０５は、クロック生成部１０６にクロックを停止させる指示を行う。以上のステップＳ２〜Ｓ４のように、速度調整部１０５は、選局が行われるとバッファ１０２の内容を監視しつつＩピクチャが取得されるまで待機し、Ｉピクチャが取得されると当該Ｉピクチャを表示装置に表示させる。
【００３５】
上記ステップＳ４の次にステップＳ５〜Ｓ８の処理が実行される。ステップＳ５〜Ｓ７の処理ループにおいては、スロー再生を行うための処理が実行される。すなわち、まずステップＳ５においては、速度調整部１０５は、バッファ１０２内に格納されたデータをチェックする。ステップＳ５の処理は、１フレーム時間毎、すなわち、ＳＴＣの時刻ｔが１０増加する毎に実行される。
【００３６】
続くステップＳ６において、速度調整部１０５は、ＳＴＣの時刻ｔと、バッファ１０２に格納されているピクチャの再生時刻ｔ’とに基づいて、通常再生（１倍速再生）が可能であるか否かを判定する。具体的には、バッファ１０２に格納されているピクチャのうちで、まだ表示されておらず、かつ、ＳＴＣの時刻ｔの値と一致するｔ’のピクチャが存在するか否かを判定する。そして、当該ピクチャが存在する場合には通常再生が可能であると判定し、当該ピクチャが存在しない場合には通常再生が不可能であると判定する。ステップＳ６の判定の結果、通常再生が可能でないと判定される場合、ステップＳ７の処理が実行される。一方、通常再生が可能であると判定される場合、後述するステップＳ８の処理が実行される。
【００３７】
ステップＳ７においては、スロー再生が行われる。すなわち、速度調整部１０５は、通常再生よりも遅い速度で再生するためのクロックを生成する旨の指示をクロック生成部１０６に対して行う。なお、本実施形態においては、１／２倍速でスロー再生が行われるので、速度調整部１０５は、１／２倍速のクロックを生成する旨の指示をクロック生成部１０６に対して行う。これによって、再生部１０３は、クロック生成部１０６によって生成されるクロックのタイミングに応じて、バッファ１０２に格納されたピクチャを再生順に順次再生する。このとき、再生部１０３は、バッファ１０２に格納されており、かつ、まだ表示されていないピクチャのうちで最も古いピクチャを順次再生していく。ステップＳ７の次に、ステップＳ５の処理が再度実行される。
【００３８】
一方、ステップＳ８においては、通常再生が行われる。すなわち、速度調整部１０５は、１倍速再生に応じたクロックを生成する旨の指示をクロック生成部１０６に対して指示する。これによって、再生部１０３は、１フレーム時間毎に１つのピクチャを順次表示するので、通常再生が行われることになる。以上で図３に示す処理の説明を終了する。
【００３９】
なお、上記実施形態において、通常再生が行われるまでの間は、音声出力を停止していてもよい。このとき、通常再生が開始された時点の画像とタイミングが合うように音声出力を開始することが好ましい。また、他の実施形態においては、スロー再生が開始された時点から音声を再生するようにしてもよい。例えば、スロー再生が行われている間は、無音部分を引き延ばして音声を再生する処理を実行してもよいし、音程を変えずに音声の再生時間を引き延ばす処理を実行してもよい。
【００４０】
なお、上記実施形態においては、スロー再生の間の再生速度を一定としたが、他の実施形態においては、スロー再生の間の再生速度を可変としてもよい。具体的には、スロー再生の間の再生速度を、バッファ１０２に格納されているピクチャの再生時刻ｔ’とＳＴＣの時刻ｔとに基づいて決定するようにしてもよい。図４は、再生速度を可変とする場合における、バッファ１０２に格納される映像データの時間推移を示す図である。以下、図４および図５を用いて、再生速度を可変とする場合の処理を説明する。
【００４１】
図４においては、図２と同様、ｔ’＝１００のピクチャがＩピクチャであるとする。このとき、放送受信装置１００は、ｔ＝７０の時点でＩピクチャの表示を行う。Ｉピクチャを表示した後、放送受信装置１００は、バッファ１０２に格納されているピクチャの再生時刻ｔ’とＳＴＣの時刻ｔとに基づいて再生速度を算出する。なお、再生速度の算出に用いるピクチャの再生時刻ｔ’は、次に再生すべきピクチャ、すなわち、バッファ１０２に格納されており、かつ、まだ表示されていないピクチャのうちで最も古いピクチャである。例えば、ピクチャの再生時刻ｔ’とＳＴＣの時刻ｔと差分が２０以上である場合には再生速度を１／３倍速とし、当該差分が２０未満である場合には再生速度を１／２倍速とする。したがって、図４の例においては、時刻ｔ＝６０〜９０の間は、１／３倍速でスロー再生が行われることとなり、時刻ｔ＝９０〜１１０の間は、１／２倍速でスロー再生が行われることとなる。また、時刻＝１１０以降において通常再生が行われることとなる。
【００４２】
図５は、再生速度を可変とする場合における、放送受信装置の処理の流れを示すフローチャートである。なお、図５において、図３と同じ処理については図３と同じステップ番号を付し、詳細な説明を省略する。
【００４３】
図５においては、ステップＳ６の判定結果が否定であった場合にステップＳ１１およびＳ１２が実行される点で図３と異なる。ステップＳ１１においては、速度調整部１０５は、バッファ１０２に格納されているピクチャの再生時刻ｔ’とＳＴＣの時刻ｔとに基づいて、スロー再生における再生速度を算出する。なお、再生速度は、ピクチャの再生時刻ｔ’とＳＴＣの時刻ｔと差分が大きいほど再生速度が遅くなるように算出されればよい。続くステップＳ１２においては、ステップＳ１１で算出された再生速度でスロー再生が行われる。すなわち、速度調整部１０５は、ステップＳ１１で算出された再生速度に応じたクロックを生成するようにクロック生成部１０６に対して指示を行う。クロック生成部１０６は、この指示に従ってクロックを生成するので、再生部１０３は、ステップＳ１１で算出された再生速度でピクチャを再生することとなる。
【００４４】
以上の図４および図５に示したように、スロー再生における再生速度を可変とすることによって、上記差分が大きい場合に、通常再生が可能となるまでの時間を（再生速度が一定である場合に比べて）短縮することができる。つまり、上記差分が大きい場合には、再生速度が相対的に遅くなるように決定されるので、バッファ１０２に十分なピクチャが格納されるまでの時間が短縮される。その結果、通常再生が可能となるまでの時間が短縮される。なお、他の実施形態においては、図５に示すステップＳ４でＩピクチャが表示された後に１回のみ再生速度を算出し、スロー再生中は再生速度を一定とするようにしてもよい。
【００４５】
なお、上記実施形態においては、ＭＰＥＧ２を用いたテレビジョン放送信号を受信する放送受信装置を例として説明したが、本発明は、符号化された画像データを受信して再生する他の画像再生装置においても適用可能である。すなわち、画像データの符号化方式や伝送路によらず実施可能である。例えば、インターネットを介してＷｉｎｄｏｗｓ  Ｍｅｄｉａ  Ｖｉｄｅｏ形式の画像データをストリーミング受信して再生する画像再生装置においても本発明を適用することが可能である。より具体的には、伝送速度が変動するために、数秒以上のバッファリングが必要なインターネット放送を受信して再生する画像再生装置においても本発明を適用することが可能である。この場合、最初の画像が表示されるまでの時間が大幅に短縮されるので、バッファリングが完了するのを待つことなく、視聴したい画像データかを判断を素早く行うことが可能となる。なお、インターネットを介して画像データを受信する場合には、ピクチャが上記バッファに再生順に格納されない可能性がある。したがって、この場合には、スロー再生時において、その時点で再生可能なピクチャのみを再生対象としてスロー再生を行うようにしてもよい。つまり、再生可能なピクチャのみをバッファに格納するようにしてもよい。これによって、正しい再生順序に従って画像を再生することができる。
【産業上の利用可能性】
【００４６】
以上のように、本発明は、画像の取得を開始してから通常再生を行う前に、取得後の動画の内容に合った画像を表示すること等を目的として、例えばテレビジョン放送受信装置に利用することが可能である。
【図面の簡単な説明】
【００４７】
【図１】放送受信装置の構成を示すブロック図
【図２】バッファに格納される映像データの時間推移を示す図
【図３】制御部および速度調整部における処理の流れを示すフローチャート
【図４】再生速度を可変とする場合における、バッファに格納される映像データの時間推移を示す図
【図５】再生速度を可変とする場合における、放送受信装置の処理の流れを示すフローチャート
【符号の説明】
【００４８】
１００  放送受信装置
１０１  チューナ
１０２  バッファ
１０３  再生部
１０４  出力部
１０５  速度調整部
１０６  クロック生成部
１０７  リモコン信号受信部
１０８  制御部
１０９  アンテナ
【図１】
2007274441.tif 000003
【図２】
2007274441.tif 000004
【図３】
2007274441.tif 000005
【図４】
2007274441.tif 000006
【図５】
2007274441.tif 000007